(57)【特許請求の範囲】
【請求項１】
両端に支点部を設けて平行に配置された一対のアームの少なくとも一端どうしを連結した２組の枠体を、上記アームの略中央部が回動支点部となるように交差連結したリンク部材と、このリンク部材のアームに設けた上方の支点部が回動自在にはまり込む係合部を裏面に設けたキートップと、同じくアームに設けた下方の支点部が回動自在にはまり込む係合部を設けたケースと、上記キートップを直接あるいはリンク部材を介して上方へ付勢すると共にスイッチ部材のスイッチ部を押下する突起を裏面に設けた弾性を有したドーム部を備えて上記ケースの下面に水平方向に摺動自在に配置されたシート状のフィルムと、スイッチ部を備えて上記フィルムの下面に配置されたシート状のスイッチ部材と、このスイッチ部材の下面に配置されて上記ケースと結合された基板からなり、上記リンク部材の支点部の少なくとも２つが水平方向に摺動自在となると共に、上記ドーム部の周縁に弾性を有したリンク部材操作用突起を設け、上記シート状のフィルムが摺動した際にこのリンク部材操作用突起が上記リンク部材の下方を上記ケースに弾接させるように構成した押釦スイッチ。
【請求項２】
リンク部材のアームの略中央部を交差連結した回動支点部が、一方の枠体には軸を設け、他方の枠体にはこの軸が摺動自在に軸支される長孔を設けて構成されたものである請求項１記載の押釦スイッチ。
【請求項３】
キートップの裏面にドーム部と当接する凸状のステムを設けた請求項１もしくは２記載の押釦スイッチ。
【請求項４】
ドーム部の周縁に設けた弾性を有したリンク部材操作用突起がリンク部材の下方に弾接した状態から解除される際に、弾性と摩擦力を利用して上記リンク部材を上記リンク部材操作用突起と共に摺動させるようにした請求項１記載の押釦スイッチ。
【発明の詳細な説明】
【０００１】
【発明の属する技術分野】
本発明は、表示部折り畳み収納式ワードプロセッサやコンピュータ等の薄型化を要求される電子機器に使用される押釦スイッチに関するものである。
【０００２】
【従来の技術】
従来の技術を図７〜図９により説明する。
【０００３】
同図において、１は金属からなる基板で２は導電ペーストを印刷した２枚のフィルムを貼合せてスイッチ部を構成したスイッチ部材、３はこのスイッチ部材２のスイッチ部を押下する突起３Ａを裏面に設けた弾性を有するドーム部、４は樹脂成形されたケースで、中央部にガイド孔４Ａが、両側には一対の係合部４Ｂが設けられている。
【０００４】
５はキートップで中央部にはケース４のガイド孔４Ａと嵌合摺動する同筒状のステム５Ａと両側には一対の係合部５Ｂが設けられている。
【０００５】
６，７は樹脂成形した２組の枠体で、それぞれ両端に円柱状の支点部６Ａと６Ｂ，７Ａと７Ｂを設けて平行に配置された一対のアーム６Ｃ１と６Ｃ２，７Ｃ１と７Ｃ２の一端どうしが連結され、枠体６のアーム６Ｃ１と６Ｃ２の略中央部に円柱状の軸６Ｄが設けられ、この軸６Ｄが回動摺動自在に軸支される長孔７Ｄが枠体７のアーム７Ｃ１と７Ｃ２の略中央部に設けられ、この２組の枠体６，７が交差連結されリンク部材８が形成されている。
【０００６】
上記リンク部材８の下方の支点部６Ａ，７Ａは上記ケース４の係合部４Ｂと上記スイッチ部材２間に回動ならびに摺動自在に保持されている。また、上方の支点部６Ｂ，７Ｂはキートップ５の係合部５Ｂに回動自在に保持されている。
【０００７】
次に動作について説明すると、指先でキートップ５の上面の一部を押下げると、係合部５Ｂに保持されたリンク部材８は円柱状の支点部６Ｂまたは７Ｂを軸にして回動し、ケース４とスイッチ部材２に回動ならびに摺動自在に保持された支点部６Ａまたは７Ａは回動ならびに摺動する。
【０００８】
また、リンク部材８は２組の枠体６，７のアーム６Ｃ１と６Ｃ２，７Ｃ１と７Ｃ２の略中央部に設けた円柱状の軸６Ｄと長孔７Ｄで軸支されており動作が連動されているので、キートップ５を押圧した場合、キートップはほぼ水平な状態で図９のごとく押下げられる。
【０００９】
【発明が解決しようとする課題】
近年、ワードプロセッサやコンピュータ等を持ち運ぶ場面が増える傾向にあり、それにつれ、ワードプロセッサやコンピュータ等に装備されているキーボード等の入力装置も、小型、薄型化が図られている。しかし、キーボードにおいては、単に入力装置として機能すればよいだけではなく、オペレータに対して優しい、すなわち、適度なストローク、クリック感など、オペレータが実際に使ってみた際の使い勝手の良い人間の感性にあった押釦スイッチが求められている。
【００１０】
しかしながら、キーボードの薄型化と使い勝手の向上とは相反する関係にあるため、ストローク長を確保しつつ、薄型化を図ることが困難であった。このことが、持ち運ぶことの多いノートワープロ、ノートパソコン、サブノートパソコンの薄型化を妨げている要因となっていた。
【００１１】
本発明はこのような従来の課題を解決し、ストローク長を確保し、使い勝手を損なわず、キーボードの非使用時は、ドーム部の高さ分だけ薄くすることができる押釦スイッチを提供することを目的とするものである。
【００１２】
【課題を解決するための手段】
上記課題を解決するために本発明は、両端に支点部を設けて平行に配置された一対のアームの少なくとも一端どうしを連結した２組の枠体を、上記アームの略中央部が回動支点部となるように交差連結したリンク部材と、このリンク部材のアームに設けた上方の支点部が回動自在にはまり込む係合部を裏面に設けたキートップと、同じくアームに設けた下方の支点部が回動自在にはまり込む係合部を設けたケースと、上記キートップを直接あるいはリンク部材を介して上方へ付勢すると共にスイッチ部材のスイッチ部を押下する突起を裏面に設けた弾性を有したドーム部を備えて上記ケースの下面に水平方向に摺動自在に配置されたシート状のフィルムと、スイッチ部を備えて上記フィルムの下面に配置されたシート状のスイッチ部材と、このスイッチ部材の下面に配置されて上記ケースと結合された基板からなり、上記リンク部材の支点部の少なくとも２つが水平方向に摺動自在となると共に、上記ドーム部の周縁に弾性を有したリンク部材操作用突起を設け、上記シート状のフィルムが摺動した際にこのリンク部材操作用突起が上記リンク部材の下方を上記ケースに弾接させるように構成したものである。
【００１３】
【発明の実施の形態】
本発明の請求項１に記載の発明は、両端に支点部を設けて平行に配置された一対のアームの少なくとも一端どうしを連結した２組の枠体を、上記アームの略中央部が回動支点部となるように交差連結したリンク部材と、このリンク部材のアームに設けた上方の支点部が回動自在にはまり込む係合部を裏面に設けたキートップと、同じくアームに設けた下方の支点部が回動自在にはまり込む係合部を設けたケースと、上記キートップを直接あるいはリンク部材を介して上方へ付勢すると共にスイッチ部材のスイッチ部を押下する突起を裏面に設けた弾性を有したドーム部を備えて上記ケースの下面に水平方向に摺動自在に配置されたシート状のフィルムと、スイッチ部を備えて上記フィルムの下面に配置されたシート状のスイッチ部材と、このスイッチ部材の下面に配置されて上記ケースと結合された基板からなり、上記リンク部材の支点部の少なくとも２つが水平方向に摺動自在となると共に、上記ドーム部の周縁に弾性を有したリンク部材操作用突起を設け、上記シート状のフィルムが摺動した際にこのリンク部材操作用突起が上記リンク部材の下方を上記ケースに弾接させるように構成したものであり、押釦スイッチの非使用時は、ドーム部を備えたシート状のフィルムのみを水平方向に摺動することにより、キートップをドーム部の高さ分だけ下方に落ち込ませ、薄型化を図れると共に、シート状のスイッチ部材の破損を防止できるという作用を有する。
さらに、押釦スイッチの非使用時は、持ち運び時におけるキートップのガタつきを、上記弾性を有したリンク部材操作用突起により、シート状のフィルムの摺動距離のばらつき、および、シート状のフィルムとドーム部の取り付け時の位置ずれ等を弾接吸収し、異音を発生させないという作用を有する。
【００１４】
請求項２に記載の発明は、請求項１記載の発明において、リンク部材のアームの略中央部を交差連結した回動支点部が、一方の枠体には軸を設け、他方の枠体にはこの軸が摺動自在に軸支される長孔を設けた構成としたものであり、押釦スイッチの非使用時は、ドーム部を備えたシート状のフィルムのみを水平方向に摺動することにより、キートップをドーム部の高さ分だけ下方に落ち込ませ、薄型化を図れると共に、シート状のスイッチ部材の破損を防止できるという作用を有する。
【００１５】
請求項３に記載の発明は、請求項１もしくは２記載の発明において、キートップの裏面にドーム部と当接する凸状のステムを設けた構成としたものであり、押釦スイッチの非使用時は、ドーム部を備えたシート状のフィルムのみを水平方向に摺動することにより、キートップをドーム部の高さ分だけ下方に落ち込ませ、薄型化を図れると共に、シート状のスイッチ部材の破損を防止できるという作用を有する。
【００１７】
請求項４に記載の発明は、請求項１記載の発明において、ドーム部の周縁に設けた弾性を有したリンク部材操作用突起がリンク部材の下方に弾接した状態から解除される際に、弾性と摩擦力を利用して上記リンク部材を上記リンク部材操作用突起と共に摺動させるようにした構成のものであり、押釦スイッチを非使用状態から使用状態にスムーズに復帰させるという作用を有する。
【００１８】
以下、本発明の押釦スイッチの実施の形態について、図１〜図６を用いて説明する。
【００１９】
（実施の形態１）
図１は本発明の第１の実施の形態による押釦スイッチの断面図、図２は同平面図、図３は同押釦スイッチの下降状態を説明する断面図、図４と図５は同押釦スイッチのドーム部の他の固定方法を示す断面図である。
【００２０】
同図において、１１は金属からなる基板、１２は導電ペーストを印刷した２枚のフィルムを貼合せてスイッチ部（図示せず）を構成して上記基板１１に装着されたスイッチ部材、１３は上記スイッチ部材１２のスイッチ部を押下する突起１３Ａを裏面に設けた弾性を有するドーム部であり、シート状のフィルム１４のフィルム１４Ａ，１４Ｂにより固定されている。１５は樹脂成形されたケースであり、中央部に開口孔１５Ａが、両側には一対の係合部１５Ｂが設けられると共に、上記スイッチ部材１２との間を上記ドーム部１３を固定したフィルム１４が水平方向に摺動自在に配置されている。
【００２１】
１６はキートップで、上記ドーム部１３により直接上方に付勢されるように裏面の略中央部に凸状のステム１６Ａが設けられ、また両側には一対の係合部１６Ｂが設けられている。
【００２２】
１７，１８は樹脂成形した２個の枠体で、それぞれ両側に円柱状の支点部１７Ａと１７Ｂ，１８Ａと１８Ｂを設けて平行に配置された一対のアーム１７Ｃ１と１７Ｃ２，１８Ｃ１と１８Ｃ２の一端どうしがそれぞれ連結部１７Ｅ，１８Ｅにより連結され、枠体１７のアーム１７Ｃ１と１７Ｃ２の略中央部に円柱状の軸１７Ｄが設けられ、この軸１７Ｄが回動ならびに摺動自在に軸支される長孔１８Ｄが枠体１８のアーム１８Ｃ１と１８Ｃ２の略中央部に設けられ、この２組の枠体１７，１８が交差連結されてリンク部材１９が形成されている。
【００２３】
上記リンク部材１９の下方の支点部１７Ａ，１８Ａは、上記ケース１５の係合部１５Ｂと上記フィルム１４間に回動ならびに摺動自在に保持され、また、上方の支点部１７Ｂ，１８Ｂは、上記キートップ１６の係合部１６Ｂに回動自在に保持されている。
【００２４】
上記ドーム部１３のシート状のフィルム１４への固定として、フィルム１４Ａには片面に接着剤が塗布されており、かつドーム部１３、固定用ボス１３Ｂ、リンク部材操作用突起１３Ｃを通す穴があらかじめ設けられている。ドーム部１３、固定用ボス１３Ｂ、リンク部材操作用突起１３Ｃを、フィルム１４Ａの接着剤の塗布されている面から挿入し、フィルム１４Ａをフィルム１４Ｂに貼り合すことにより、ドーム部１３をフィルム１４Ａ，１４Ｂに固定している。
【００２５】
また、ドーム部１３をフィルム１４に固定する他の手段として、図４に示すように、フィルム１４にドーム部１３が通る穴をあけておき、そこに、アウトサート成形でドーム部１３を形成してもよく、また、図５に示すように、フィルム１４にドーム部１３を接着剤２０を介して接着してもよい。
【００２６】
次に、この押釦スイッチの動作について図３により説明する。
まず、図３（ａ）に示す押釦スイッチを使用する場合、指先でキートップ１６の上面の一部を押下げると、係合部１６Ｂに保持されたリンク部材１９は円柱状の支点部１７Ｂ，１８Ｂを軸にして回動し、ケース１５とフィルム１４間に回動ならびに摺動自在に保持された支点部１７Ａ，１８Ａは回動ならびに摺動する。
【００２７】
また、リンク部材１９は２組の枠体１７，１８のアーム１７Ｃ１と１７Ｃ２，１８Ｃ１と１８Ｃ２の略中央部に設けた円柱状の軸１７Ｄと長孔１８Ｄで軸支されているために動作が連動し、キートップ１６を押圧した場合、キートップ１６はほぼ水平な状態で押下げられ、キートップ１６のステム１６Ａがドーム部１３を押圧して座屈する。この時、突起１３Ａがスイッチ部材１２のスイッチ部を押圧し、オンの状態になることは従来の押釦スイッチと同じである。
【００２８】
また、図３（ｂ）に示す押釦スイッチを使用しない場合は、固定用ボス１３Ｂ、リンク部材操作用突起１３Ｃによりフィルム１４に固定されたドーム部１３を、フィルム１４を引く、又は押すことによりキートップ１６のステム１６Ａの真下にあるドーム部１３をスライドさせ、ステム１６Ａの真下からドーム部１３をずらすことができる。これにより、キートップ１６を上方に押し上げる力がなくなり、キートップ１６は自重によりドーム部１３の高さ分下降する。
【００２９】
なお、この時図３（ｃ）に示すように、フィルム１４をさらに引く、又は押すことによって、ドーム部１３のリンク部材操作用突起１３Ｃが、リンク部材１９の枠体１８の連結部１８Ｅの下にもぐり込み、下方からリンク部材操作用突起１３Ｃが連結部１８Ｅをケース１５の係合部１５Ｂの上方に押しつけることにより、リンク部材１９を固定させる。これにより、スイッチとしての非使用時、キートップ１６が下がった状態を保ち、キートップ１６のガタつきを防止することになる。
【００３０】
次に、押釦スイッチを非使用状態から使用状態に戻すときは、上記の動作でフィルム１４をスライドさせた方向と逆の方向にスライドさせれば使用状態に戻すことができ、この時、リンク部材１９の連結部１８Ｅの下にもぐり込んでいるドーム部１３のリンク部材操作用突起１３Ｃもキートップ１６のステム１６Ａの方向にスライドし、この際、リンク部材１９の連結部１８Ｅもリンク部材操作用突起１３Ｃとの摩擦によりステム１６Ａの方向に回動ならびに摺動し、折り畳まれていたリンク部材１９の枠体１７，１８は上方に上がり、ドーム部１３の斜面部がキートップ１６を持ち上げると共に、ドーム部１３がキートップ１６のステム１６Ａの真下にスライドしてきて入り込み、リンク部材操作用突起１３Ｃがリンク部材１９の連結部１８Ｅの下から抜けて使用時の状態に戻る。
【００３１】
なお、本実施の形態ではキートップ１６のステム１６Ａをドーム部１３により直接上方に付勢する構成としたが、本発明はこれに限定されるものではなく、キートップ１６をドーム部１３によりリンク部材１９を介して上方に付勢することも可能である。
【００３２】
（実施の形態２）
図６は本発明の第２の実施の形態による押釦スイッチの断面図であり、本実施の形態において上記実施の形態１で説明した構成部分と同じ部分については同じ符号を付して説明を省略する。
【００３３】
同図において２１は樹脂成形されたケースであり、中央部に開口孔２１Ａが、両側には一対の係合部２１Ｂ，２１Ｃが設けられると共に、スイッチ部材１２との間をドーム部１３を固定したフィルム１４が水平方向に摺動自在に配置されている。
【００３４】
２２はキートップであり、上記ドーム部１３により直接上方に付勢されるように裏面の略中央部に凸状のステム２２Ａが設けられ、また両側には一対の係合部２２Ｂ，２２Ｃが設けられている。
【００３５】
２３，２４は樹脂成形した２組の枠体で、それぞれ両側に円柱状の支点部２３Ａと２３Ｂ，２４Ａと２４Ｂを設けて平行に配置された一対のアーム２３Ｃ１と２３Ｃ２，２４Ｃ１と２４Ｃ２の一端どうしが連結され、枠体２３のアーム２３Ｃ１と２３Ｃ２の略中央部に円柱状の軸２３Ｄが設けられ、この軸２３Ｄが回動ならびに摺動自在に軸支される孔２４Ｄが枠体２４のアーム２４Ｃ１と２４Ｃ２の略中央部に設けられ、この２組の枠体２３，２４が交差連結されてリンク部材２５が形成されている。
【００３６】
上記リンク部材２５の下方の一方の支点部２３Ａは上記ケース２１の係合部２１Ｂと上記フィルム１４間に回動自在に保持され、他方の支点部２４Ａは上記ケース２１の係合部２１Ｃと上記フィルム１４間に回動ならびに摺動自在に保持されている。また、上方の一方の支点部２４Ｂは上記キートップ２２の係合部２２Ｂに回動自在に保持され、他方の支点部２３Ｂは上記キートップ２２の係合部２２Ｃに回動ならびに摺動自在に保持されている。
【００３７】
本実施の形態は以上のように構成されるものであるが、動作についても上記実施の形態１と同じ部分については説明を省略し、違う部分のみ説明する。
【００３８】
押釦スイッチをスイッチとして使用する場合は、指先でキートップ２２の上面の一部を押下げると、係合部２２Ｂに保持されたリンク部材２５は円柱状の支点部２４Ｂと、ケース２１の係合部２１Ｂに保持された支点部２３Ａを軸にして回動し、またキートップ２２の係合部２２Ｃとケース２１の係合部２１Ｃに回動ならびに摺動自在に保持された支点部２３Ｂ、２４Ａは回動ならびに摺動する。
【００３９】
また、リンク部材２５は２組の枠体２３，２４のアーム２３Ｃ１と２３Ｃ２，２４Ｃ１と２４Ｃ２の略中央部に設けた円柱状の軸２３Ｄと孔２４Ｄで軸支されているために動作が連動しキートップ２２を押圧した場合、キートップ２２はほぼ水平な状態で押下げられ、キートップ２２のステム２２Ａがドーム部１３を押圧して座屈し、この時、突起１３Ａがスイッチ部材１２のスイッチ部を押圧し、オンの状態になる。
【００４０】
【発明の効果】
以上のように、本発明は簡単な操作で非使用時は押釦スイッチの高さを使用時よりも薄くすることができるとともに、操作性が良好な押釦スイッチを提供することができる。
【図面の簡単な説明】
【図１】本発明の第１の実施の形態による押釦スイッチの断面図
【図２】同平面図
【図３】同下降状態を説明する断面図
【図４】同要部であるドーム部の他の固定手段を説明する断面図
【図５】同要部であるドーム部の他の固定手段を説明する断面図
【図６】本発明の第２の実施の形態による押釦スイッチの断面図
【図７】従来の押釦スイッチの平面図
【図８】同断面図
【図９】同操作時の断面図
【符号の説明】
１１  基板
１２  スイッチ部材
１３  ドーム部
１３Ａ  突起
１３Ｂ  固定用ボス
１３Ｃ  リンク部材操作用突起
１４  フィルム
１４Ａ  フィルム
１４Ｂ  フィルム
１５  ケース
１５Ａ  開口孔
１５Ｂ  係合部
１６  キートップ
１６Ａ  ステム
１６Ｂ  係合部
１７，１８  枠体
１７Ａ，１７Ｂ，１８Ａ，１８Ｂ  支点部
１７Ｃ１，１７Ｃ２，１８Ｃ１，１８Ｃ２  アーム
１７Ｄ  軸
１８Ｄ  長孔
１８Ｅ  連結部
１９  リンク部材
２０  接着剤
２１  ケース
２１Ａ  開口孔
２１Ｂ，２１Ｃ  係合部
２２  キートップ
２２Ａ  ステム
２２Ｂ，２２Ｃ  係合部
２３，２４  枠体
２３Ａ，２３Ｂ，２４Ａ，２４Ｂ  支点部
２３Ｃ，２４Ｃ  アーム
２３Ｄ  軸
２４Ｄ  孔
２５  リンク部材
【図１】
0003820655.tif 000002
【図２】
0003820655.tif 000003
【図３】
0003820655.tif 000004
【図４】
0003820655.tif 000005
【図５】
0003820655.tif 000006
【図６】
0003820655.tif 000007
【図７】
0003820655.tif 000008
【図８】
0003820655.tif 000009
【図９】
0003820655.tif 000010